(57)【要約】      （修正有）【課題】手から外すことなく、針外しを行い得る釣り針外し治具を提供する。【解決手段】親指Ｆ１に嵌められる筒状のサック部１１と、サック部から指先前方に延びる魚から釣り針を外す線状体１５とからなる魚釣り針の外し治具１０である。サック部は、指の末節骨と中節骨との関節部分の手の甲側を開口１２し、関節部分の手のひら側から手首側を欠如１３している。このため、この治具を嵌めた指の屈曲に支障がないため、治具を嵌めたままの作業がし易い。線状体１５は、サック部１１から指先前方に延びた後（部分１６）、一側斜めに前方に延び（部分１７）、その端から折り返されてＶ字状（部分１８）となり、さらに横方向に延びている（部分１９）。そのＶ字状部分を釣り糸に嵌めてスライドさせて針の根本に移動させると、釣り針はＶ字状部分からフトコロ部分（腹部）をスライド方向前方に向けた状態で指により魚を押せば、針から魚が容易に外れて落下する。【選択図】図１
0003211859.tif 000002
【実用新案登録請求の範囲】
【請求項１】
人手の指（Ｆ１）に嵌められる筒状のサック部（１１）と、そのサック部（１１）から指先前方に延びる線状体（１５）とからなり、その線状体（１５）は、魚（Ａ）に引っかかった釣り針（ｃ）を外す形状をしている釣り針外し治具。
【請求項２】
上記サック部（１１）は、人指（Ｆ１）の末節骨と中節骨との関節部分の手の甲側を開口（１２）するとともに、前記関節部分の手のひら側から手首側を欠如（１３）した請求項１に記載の釣り針外し治具。
【請求項３】
上記線状体（１５）は、指先前方に延びた後、一側斜め前方に延び、その端から折り返されてＶ字状となり、さらに横方向に延びている請求項１又は２に記載の釣り針外し治具。
【考案の詳細な説明】
【技術分野】
【０００１】
この考案は、釣り上げた魚から釣り針を外す治具に関するものである。
【背景技術】
【０００２】
釣り魚から釣り針を外す場合、通常、まず、釣り魚を一方の手で掴んだり、又は、手袋やタオル等で掴んだり、アイストング類で摘んだりして魚の動きを抑えた上で、もう一方の手を使って釣り針を外し、バケツやクーラー等に取り込む。
この作業は繁雑であると共に、手や衣服が汚れるとともに、魚のヒレやウロコによって怪我をする恐れがある。
また、魚表面に触れ、魚を圧迫することで、魚に大きな負担がかかり、食用又は他の釣り用のエサとして釣り魚を活かして保存運搬する目的がある場合は極めて不向きである。
さらに、多点針を用いた仕掛で中小型の魚を短時間で多量に釣り上げる際、例えば、サビキ釣り、ワカサギ釣り、小鮎釣りなどにあっては、その釣り針外し作業をスピーディーにしないと、多くの魚を釣ることができない。
【０００３】
この様な状況下、その釣り針外しを行う治具として多くのものが考案されている。例えば、ワカサギ釣りにおいては、専用の針外し治具が多数販売されているが、多くはペンシルキャップ状の突起を２本以上並べた隙間、及びそれ同様特性の形状を成した細いスリットの間に魚の掛かった針を糸ごと通し引っ張ることで、スリットを通過できない魚の吻端を、釣り針のみが引きちぎって釣り針が外れる仕組みである（特許文献１参照）。
また、棒体の先端をフック状とし、そのフックで釣り針を掴んで吻端から引き抜く治具も種々の形状のものが考案されている（特許文献２等参照）。
【先行技術文献】
【特許文献】
【０００４】
【特許文献１】意匠登録第１５０７１４１号公報
【特許文献２】特開平０７−５０９６９号公報
【特許文献３】実用新案登録第３１９１３８６号公報
【特許文献４】特開平１０−２８６０５３号公報
【考案の概要】
【考案が解決しようとする課題】
【０００５】
特許文献１に記載の治具は、スリットの間を通過できない形状の釣り針や仕掛けが使用できない。
また、使用条件としてワカサギの上顎に針掛かりした場合にのみに限られ、下顎や鰭や体側など骨の硬い部分に針掛かりした場合、引きちぎることができず、糸が切れてしまう恐れがある。この糸切れについては、仮に魚を丸ごと食する目的があった際、針が口に残った状態で先に釣り上げた多量の魚の中に混じってしまうようなことがあっては重大な問題となる。
【０００６】
さらに、ワカサギのように、吻端の構造が薄く柔らかい魚の場合は、その吻端を引きちぎることはできるが、柔らかい吻端を持たない魚については、その吻端の形状や特性により、吻端を引きちぎることはできず、使用できない場合が多い。また、吻端を引きちぎる為に、魚に著しい傷が残ってしまう。
また、釣り針にエサ（餌）を付けている場合は、釣り針がスリットを通過する際に、魚と共にエサまで釣り針から外れやすいことが懸念される。エサが釣り針から外れれば、同様に、先に釣り上げた多量の魚の中に赤虫等のエサが混じってしまうようなことがあって、好ましくない。
【０００７】
海釣り用のサビキ仕掛け等にみられる、針軸により多くの擬似エサ素材を装着した針を用いた仕掛は、スリットの間を針が通り抜けない為、使用できない場合がある。
また、この治具は、バケツなど釣魚を保管する為の容器に取り付け固定して使用するが（特許文献１、使用状態を示す参考図２参照）、治具と容器双方の形状の不適合により取り付けできない場合がある。
【０００８】
サビキ釣り等においては、特許文献２等に記載の針外し治具が使用されるが、釣外しの都度、治具そのものを一方の手（例えば、右手）に持って針外し作業を行わなければならず、煩雑である。また、治具自体が大きく、嵩が張るという欠点がある。
この治具において、容器設置型の治具もあるが、やはり嵩高いものが多い。
【０００９】
この考案は、手から外すことなく、釣り針外しを行い得る治具を提供することを課題とする。
【課題を解決するための手段】
【００１０】
上記課題を達成するため、この考案に係わる釣り針外し治具は、人手の指に嵌められる筒状のサック部と、そのサック部から指先前方に延びる線状体とからなり、その線状体は、魚に引っかかった釣り針を外す形状をしている構成としたのである。
このように、指に嵌める治具であれば、針外し用線状体が邪魔にならない限り、この治具を指から外す必要がないため、この治具を嵌めたままで、針外し作業以外に、仕掛の投入や回収、エサ付け等の作業を行うことができる。
【００１１】
上記サック部は、指に嵌め得る限りにおいて、その形状は任意であるが、例えば、指の末節骨と中節骨との関節（ＤＩＰ関節、ＩＰ関節）部分の手の甲側を開口するとともに、前記関節部分の手のひら側から手首側を欠如した構成とすることができる。
この構成のサック部であると、この治具を嵌めた指の屈曲に支障がないため、治具を嵌めたままの作業がし易い。
【００１２】
上記線状体は、釣り針が刺さった、魚の吻端等からその釣り針を外し得る形状であれば、特許文献２に記載の適宜なフック状であったりすれば良いが、例えば、サック部から指先前方に延びた後、一側斜めに前方に延び、その端から折り返されてＶ字状となり、さらに横方向に延びている形状等とすることができる。
この構成の線状体であると、Ｖ字状部分を釣り糸に嵌めてスライドさせて針の根本に移動させると、釣り針はし字状をしているため、その釣り針はＶ字状部分からフトコロ部分（腹部）をスライド方向前方に向けた状態（針先がスライド方向手前の状態）となり、指で魚を押せば、釣り針から魚が容易に外れて落下する（図３Ｅ、図３Ｆ、図４参照）。
【考案の効果】
【００１３】
この考案は、以上のように構成して、手の指に嵌めて使用するようにしたので、この治具を嵌めたままで、作業をすることができる。このため、針外しが円滑となるとともに、この治具を指に嵌めたままで針外し以外、例えば、仕掛の投入や回収、エサ付け等の他の作業も円滑に行うことができる。
【図面の簡単な説明】
【００１４】
【図１】この考案に係る針外し治具の一実施形態を示し、（ａ）は斜視図、（ｂ）は平面図、（ｃ）は切断正面図
【図２】同実施形態の製作説明図であり、（ａ）は線状体部分の平面図、（ｂ）は同正面図、（ｃ）は線状体部分をサック部成形時に埋設した状態の平面図
【図３Ａ】同実施形態の作用説明図
【図３Ｂ】同実施形態の作用説明図
【図３Ｃ】同実施形態の作用説明図
【図３Ｄ】同実施形態の作用説明図
【図３Ｅ】同実施形態の作用説明図
【図３Ｆ】同実施形態の作用説明図
【図４】同実施形態の拡大作用説明図
【考案を実施するための形態】
【００１５】
この考案に係る針外し治具の一実施形態を図１に示し、この針外し治具１０は、親指（Ｆ１）に嵌められる筒状のサック部１１と、そのサック部１１から指先前方に延びる線状体１５とからなる。
【００１６】
サック部１１は、伸縮性のある軟質合成樹脂製成形品であって、親指の末節骨と中節骨との関節（ＤＩＰ関節、ＩＰ関節）部分の手の甲側を開口１２するとともに、前記関節部分の手のひら側から手首側を欠如１３した形状である。その開口１２及び欠如１３の大きさや形状は、親指が屈曲し易い（物を掴みやすい）ように、実験等によって適宜に設定する。
このように、サック部１１が伸縮性のある軟質樹脂材を使用したことで、このサック部１１は個人個人の指Ｆ１の形状を問わずフィットし、脱落やズレの懸念を抑えることができる。
また、サック部１１に開口１２及び欠如１３を設け、この開口１２に親指Ｆ１の第一関節（ＩＰ関節）を曲げた際の関節外側の膨らみＦ１’が突き出るとともに、欠如１３を介して第一関節が円滑に屈曲することで、指先全体の窮屈感を緩和できる。これらのことにより針外し及び他の作業をスムーズに行うことができる。
【００１７】
線状体１５は、ステンレス鋼線からなり、指先前方に延びた（部分１６）後、一側（図１（ｂ）において上側）斜めに前方に延び（親指Ｆ１に対し下向き右側に延びる部分１７）、その端から折り返されて（溝形状加工されて）Ｖ字状となり（部分１８）、さらに横方向（図１（ｂ）において左側）に延びている（親指Ｆ１に対し下向き左側に延びる部分１９）。この各部分１６〜１９は、空中に垂れて且つ釣り上げられた魚Ａが暴れることにより振動する釣り糸（道糸）ａを、効率よく引っ掛け捉えるに必要とされる形状を、その針外し治具１０を指Ｆ１に装着したまま針外し及び他の作業を行うに差し支えない程度の最小限の大きさの範囲内で考慮して、実験などによって適宜に設定する。
【００１８】
この実施形態においては、部分１６のサック部１１からの突出長さＬ１：５ｍｍ、部分１７の長さＬ２：１７ｍｍ、同突出部１６に対する水平傾斜角度θ１：１３７度、同上下傾斜角度θ２：１６０度、Ｖ字部分１８のＶ角度α：１９度、部分１９の長さＬ３：２０ｍｍ、同Ｖ字部分１８に対する水平角度β１：１５０度、同Ｖ字部分１８に対する垂直角度β２：１６０度とした。
【００１９】
この線状体１５は、図２（ａ）、（ｂ）に示す、そのＵ字状基部１５ａを保持板１４に沿わせて溶接等で固定し、サック部１１の樹脂成形時に保持板１４を介して埋設する（図２（ｃ））。その時、保持板１４の孔１４ａ及び１４ｂに樹脂が入り込んで、線状体１５をサック部１１に強固に一体とする。
【００２０】
この実施形態の釣り針外し治具１０は以上の構成であり、つぎにその作用について説明する。まず、図３各図に示すように、例えば、右手の親指Ｆ１に、この釣り針外し治具１０を、線状体１５が突出して指の腹側（掌側）になるように装着する（嵌め込む）。
【００２１】
つぎに、図３Ａに示すように、釣り針ｃに魚Ａが掛かった状態で、釣り糸ａを左手Ｆで持ち、その釣り糸ａにこの治具１０の線状体１５のＶ字状部分１７、１８を嵌める（線状体１５で釣り糸ａを引っ掛け捉える）。このとき、釣り糸ａがこのＶ字状部分の最奥部に誘導され、その位置で線状体１５と釣り糸ａの接点を固定させる。
【００２２】
この釣り糸ａをこの治具１０で引っ掛け捉えた状態で、図３Ｂから図３Ｃに示すように、右手Ｆを魚Ａ側に移動させて治具１０を釣り糸ａ上を滑らす（移動させる）。その移動によって、この治具１０がハリスｂを通って釣り針ｃに至ると（図３Ｃから図３Ｄ）、釣り上げられた魚Ａの荷重と右手Ｆの魚側への移動作用によって、図３Ｄ及び図４に示すように、線状体１５のＶ字状部分１７、１８が釣り針ｃの根本に至り、釣り針ｃは、し字状であることから、この治具１０を移動させた反対方向（左手方向）に向く（釣り針ｃの先端が左手方向に向く）。
【００２３】
この状態において、線状体１５に引っ掛けた釣り針ｃに刺さった魚Ａは、釣り針ｃの掛かり方によっては暴れ続けることで釣り針ｃが外れる場合がある。
外れない場合は、図３Ｅから図３Ｆに示すように、例えば、右手の人差し指で魚Ａを弾くと、釣り針ｃの先端が左手方向に向いていることによって、釣り針ｃから魚Ａが簡単に外れる。このとき、その指の弾き力が魚Ａに伝わりやすい形状（部分１７、１８）や角度θ２となっている。
【００２４】
以上の作用を、各釣り針ｃに掛かった魚Ａに対して行うことによって、各釣り針ｃから魚Ａを外す。そのとき、この釣り針外し治具１０は、手の指に嵌めたままで、作業をすることができるため、針外しが円滑であるとともに、この治具１０を指に嵌めたままで針外し以外、例えば、仕掛の投入や回収、エサ付け等の他の作業も円滑に行うことができる。このため、作業効率及び速度の向上が期待できる。
【００２５】
なお、図３Ａ、同Ｂに示す左手Ｆは、大気中の風力や魚が暴れることによる釣り糸ａを保持して、その振動を抑制する目的、及び、治具１０を用いた針外し作業（前述「００２０〜００２３」）をより行い易くする為の支点応力をもたらす手段の一例である。しかし、例えば硬く湾曲しにくい釣り竿を使用したり、その他、釣り糸ａを固定できる何等かの治具を使用したり、釣り場環境における、例えば手すりなどの汎用物や竿受け治具を利用するなど、左手Ｆに替わる応力（保持部）が存在すれば、その左手Ｆによる釣り糸ａの保持は必ずしも必要としない。すなわち、釣り作業や釣り環境の条件如何では、左手Ｆには竿を持ったまま、右手Ｆ及びそこに装着した治具１０のみでの針外し作業の実行も可能である。このため、一層の作業効率及び速度の向上が期待できる。
【００２６】
この実施形態の針外し治具1０は、治具自体（サック部１１）を小型化かつ軽量化したことにより、指先に装着したまま釣りの作業を行うことができる。釣り上がってきた魚Ａ及び釣り糸ａを直接手で掴むような感覚で扱うことができ、固定型タイプや都度、手に持って扱わなければならない従来型治具のような煩わしさがなく、スピーディーに針外し作業を完結して次の釣り作業に移行することができる。このことにより、魚影が濃い環境下ではより沢山の釣果を得ることが期待できる。
【００２７】
また、特許文献１記載のようにワカサギのような吻端の柔らかい魚の上顎に針掛かりした場合のみに使用が限定されることがなく、下顎や鰭や魚体に掛かった針でも外すことができる。魚Ａの種類や魚への針の掛かり方を都度確認する必要がなく、針外しの際に糸ａ、ｂが切れてしまう懸念も著しく少ない。
【００２８】
さらに、海釣り用のサビキ仕掛け等に見られる、針軸により多くの擬似エサ素材を装着した針は、特許文献１の従来品ではスリットの間を通らずに使用できなかったが、この針外し治具１０はこのような仕掛けでも大きく使用方法を変えることなく、釣り針ｃを外すことができる。
【００２９】
また、この釣り針外し治具１０は使用方法により、釣り針ｃから魚Ａだけを外す応力を考慮した設計にしたことから、特許文献１記載のように従来品の欠点のひとつに挙げた、例えば赤虫やサシ虫（ハエの幼虫）等の類の柔らかなエサでも、魚の針外しの際に一緒にエサが外れてしまう事案の発生も軽減されることが期待される。
【００３０】
さらに、針外し作業の際、針が刺さった部分以外には魚体に触れることがなく、魚への負担を最小限に抑えることができる。手先の汚れも最小限で済み、魚Ａを素手で掴むのに抵抗がある者へもそれを緩和させることが期待できる。
【００３１】
この釣り針外し治具１０は、これ自体が非常にコンパクトであることから、特許文献１と比較して運搬・保管がとてもシンプルで嵩張らないというメリットがある。
【００３２】
線状体１５及び保持板１４はステンレス製でなくても、使用に耐え得る限りにおいて、他の金属や樹脂を使用した組み立て品（サック部１１と併せたものも含む）や成型品でも良い。サック部１１の大きさ・形状は、親指に限らず、人差し指等の他の指に嵌めるものであったり、男性用、女性用、子供用等としたり、その使用者等に対応させて適宜に選定し得る。
また、線状体１５の形状は、魚Ａから外し得れば、実施形態に限らず、特許文献２に記載のコイル状としたり、特許文献３に記載のフック状としたり、特許文献４に記載のピストル状としたり等と、魚Ａに引っかかった釣り針ｃを外し得る形状であれば、何れでも良い。
【００３３】
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００３４】
１０  釣り針外し治具
１１  サック部
１２  開口
１３  欠如
１５  線状体
１６  線状体の指先前方に延びた部分
１７  同一側斜め前方に延びた部分
１８  同Ｖ字状に折れ曲がった部分
１９  同横方向に延びた部分
Ａ  魚
Ｆ  手（右手、左手）
Ｆ１  親指
ａ  釣り糸（幹糸）
ｂ  枝糸（ハリス）
ｃ  釣り針
【図１】
0003211859.tif 000003
【図２】
0003211859.tif 000004
【図３Ａ】
0003211859.tif 000005
【図３Ｂ】
0003211859.tif 000006
【図３Ｃ】
0003211859.tif 000007
【図３Ｄ】
0003211859.tif 000008
【図３Ｅ】
0003211859.tif 000009
【図３Ｆ】
0003211859.tif 000010
【図４】
0003211859.tif 000011
【手続補正書】
【提出日】平成29年6月8日(2017.6.8)
【手続補正１】
【補正対象書類名】実用新案登録請求の範囲
【補正対象項目名】請求項１
【補正方法】変更
【補正の内容】
【請求項１】
人手の指（Ｆ１）に嵌められる筒状のサック部（１１）と、そのサック部（１１）から指先前方に延びる魚から釣り針を外す線状体（１５）とからなる釣り針外し治具。